(57)【要約】【課題】音楽再生時における省電力化を好適に図ることができるようにする。【解決手段】本発明に係る情報処理装置に適用可能な携帯電話機１においては、主制御部３１は、音楽再生時における再生モードを第１の再生モード、または第２の再生モードに設定し、音楽再生時に、音楽再生時における再生モードが第２の再生モードに設定される際に設定された、第２の再生モードを開始する条件である第２の再生モード開始条件を満たすか否かを判定し、第２の再生モード開始条件を満たすと判定された場合、音楽再生時における動作を第２の再生モード時における動作に切り替え、主制御部３１は、音声制御部４８を制御し、切り替えられた第２の再生モード時における動作に従い、第２の再生モードで、予め記憶されているオーディオデータを再生する。【選択図】  図３
2008199108.tif 000002
【特許請求の範囲】
【請求項１】
音楽再生時における再生モードを第１の再生モード、または第２の再生モードに設定する設定手段と、
音楽再生時に、前記設定手段により音楽再生時における再生モードが前記第２の再生モードに設定される際に設定された、第２の再生モードを開始する条件である第２の再生モード開始条件を満たすか否かを判定する判定手段と、
前記判定手段により前記第２の再生モード開始条件を満たすと判定された場合、音楽再生時における動作を前記第２の再生モード時における動作に切り替える切り替え手段と、
前記切り替え手段により切り替えられた前記第２の再生モード時における動作に従い、前記第２の再生モードで、予め記憶されているオーディオデータを再生する再生手段とを備えることを特徴とする情報処理装置。
【請求項２】
前記第１の再生モードは通常再生モードであり、前記第２の再生モードは省電力再生モードであることを特徴とする請求項１に記載の情報処理装置。
【請求項３】
前記第２の再生モード開始条件には、少なくとも、バッテリパックが低電圧となったとき、音楽再生時の最初のとき、音楽再生開始から予め設定された所定の時間経過したとき、前記情報処理装置の状態が第１の状態から第２の状態になったときのいずれか１つが含まれることを特徴とする請求項１に記載の情報処理装置。
【請求項４】
前記情報処理装置の充電を検出する検出手段をさらに備え、
前記検出手段により前記情報処理装置の充電が検出されたとき、前記切り替え手段は、音楽再生時における動作を前記第１の再生モード時における動作に切り替え、
前記再生手段は、前記切り替え手段により切り替えられた前記第１の再生モード時における動作に従い、前記第１の再生モードで、予め記憶されているオーディオデータを再生することを特徴とする請求項１に記載の情報処理装置。
【請求項５】
前記切り替え手段により切り替えられる前記第２の再生モード時における動作には、少なくとも、オーディオデータのデコード方式、サラウンド処理、またはイコライズ処理が含まれることを特徴とする請求項１に記載の情報処理装置。
【発明の詳細な説明】
【技術分野】
【０００１】
本発明は情報処理装置に係り、特に、オーディオデータを再生することができるようにした情報処理装置に関する。
【背景技術】
【０００２】
近年、携帯電話機には、単なる通話による通信機能だけでなく、アドレス帳機能、インターネットなどのネットワークを介したメール機能や、Ｗｅｂページなどを閲覧することが可能なブラウザ機能などの種々の機能が搭載されている。また、携帯電話機には、音楽を再生する音楽再生機能も搭載されるようになってきている。
【０００３】
ユーザが携帯電話機において音楽再生を楽しむ場合、ユーザは、まず、予め携帯電話機に好みの音楽データ（オーディオデータ）をコンテンツサーバからダウンロードさせたり、外部メモリなどから取り込んだ後、それらのオーディオデータを携帯電話機に記憶させ、好みのタイミングでオーディオデータの再生を開始させる。
【０００４】
しかし、携帯電話機は音楽再生機能だけでなくメールの送受信や発着信などの他の機能にも用いられることから、オーディオデータの再生に多くの電力を費やすようにしてしまうと、メールの送受信や発着信などの他の機能を用いることができなくなってしまう。
【０００５】
そこで、音楽再生時における省電力化を図る技術が提案されている（例えば特許文献１参照）。
【０００６】
特許文献１に提案されている技術によれば、電池の充電状態検出手段または電池の残量検出手段を備え、電池の充電開始が検出されるとデータの再生開始を可能にし、電池の残量が予め設定された残量値以下の場合にはデータ再生動作を開始させないようすることができる。これにより、充電時に好みの音楽での報知、または電池の残量僅少時における省電力化を行うことができる。
【特許文献１】特開２００２−１９９０６２号公報
【発明の開示】
【発明が解決しようとする課題】
【０００７】
しかしながら、特許文献１に提案されている技術では、電池の充電開始が検出されるとデータの再生開始を可能にし、電池の残量が予め設定された残量値以下の場合にはデータ再生動作を開始させないようすることができ、充電時に好みの音楽での報知、または電池の残量僅少時における省電力化を行うことはできるが、電池残量が少ないときには結局、音楽再生を行うことができなくなってしまい、音楽再生時における省電力を好適に行うことができないという課題があった。
【０００８】
本発明は、このような状況に鑑みてなされたものであり、音楽再生時における省電力化を好適に図ることができる情報処理装置を提供することを目的とする。
【課題を解決するための手段】
【０００９】
本発明の情報処理装置は、上述した課題を解決するために、音楽再生時における再生モードを第１の再生モード、または第２の再生モードに設定する設定手段と、音楽再生時に、設定手段により音楽再生時における再生モードが第２の再生モードに設定される際に設定された、第２の再生モードを開始する条件である第２の再生モード開始条件を満たすか否かを判定する判定手段と、判定手段により第２の再生モード開始条件を満たすと判定された場合、音楽再生時における動作を第２の再生モード時における動作に切り替える切り替え手段と、切り替え手段により切り替えられた第２の再生モード時における動作に従い、第２の再生モードで、予め記憶されているオーディオデータを再生する再生手段とを備えることを特徴とする。
【００１０】
本発明の情報処理装置においては、音楽再生時における再生モードが第１の再生モード、または第２の再生モードに設定され、音楽再生時に、音楽再生時における再生モードが第２の再生モードに設定される際に設定された、第２の再生モードを開始する条件である第２の再生モード開始条件を満たすか否かが判定され、第２の再生モード開始条件を満たすと判定された場合、音楽再生時における動作が第２の再生モード時における動作に切り替えられ、切り替えられた第２の再生モード時における動作に従い、第２の再生モードで、予め記憶されているオーディオデータが再生される。
【発明の効果】
【００１１】
本発明によれば、音楽再生時における省電力化を好適に図ることができる。
【発明を実施するための最良の形態】
【００１２】
以下、本発明の実施の形態について、図面を参照しながら説明する。
【００１３】
図１は、本発明に係る情報処理装置として適用可能な携帯電話機１の外観の構成を表している。なお、図１［Ａ］は、携帯電話機１を約１８０度に見開いたときの正面から見た外観の構成を表しており、図２［Ｂ］は、携帯電話機１を見開いたときの側面から見た外観の構成を表している。
【００１４】
図１［Ａ］および［Ｂ］に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ４４）が設けられており、内蔵されたアンテナを介して基地局（図示せず）との間で電波を送受信する。
【００１５】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１６】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００１７】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１８】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。なお、十字キーと確定キーの左右隣に設けられた電子メールキーおよびブラウザキーは、液晶ディスプレイ１７に表示される画面により例えば「Yes」や「No」などの種々の機能をもつことが可能であるため、それぞれ、soft１キーおよびsoft２キーと呼ばれる。
【００１９】
また、第１の筐体１２には、操作キー１４の下部にマイクロフォン１５が設けられており、マイクロフォン１５によって通話時のユーザの音声を集音する。また、第１の筐体１２には、携帯電話機１の操作を行うサイドキー１６が設けられている。
【００２０】
なお、第１の筐体１２は、背面側に図示しないバッテリパックが挿着されており、終話・電源キーがオン状態になると、バッテリパックから各回路部に対して電力が供給されて動作可能な状態に起動する。
【００２１】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツを表示することができる。
【００２２】
また、液晶ディスプレイ１７の上部の所定の位置にはスピーカ１８が設けられており、これにより、ユーザは音声通話することが可能である。
【００２３】
さらに、第１の筐体１２と第２の筐体１３の内部の所定の位置には、携帯電話機１の状態を検知するための磁気センサ１９a、１９b、１９c、および１９dが設けられる。
【００２４】
図２は、本発明に係る情報処理装置として適用可能な携帯電話機１の他の外観の構成を表している。図２の携帯電話機１の状態は、図１の携帯電話機１の状態から矢印Ｘ方向に回動させた状態である。なお、図２［Ａ］は、携帯電話機１を閉じたときの正面から見た外観の構成を表しており、図２［Ｂ］は、携帯電話機１を閉じたときの側面から見た外観の構成を表している。
【００２５】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。
【００２６】
サブディスプレイ２１の下部には、さらに、静電タッチパッド２２が設けられる。静電タッチパッド２２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００２７】
図３は、本発明に係る情報処理装置として適用可能な携帯電話機１の内部の構成を表している。
【００２８】
図３に示されるように、携帯電話機１は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、記憶部４７、音楽制御部４８、開閉検出部４９、および充電検出部５０がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００２９】
電源回路部３２は、例えば図示せぬバッテリパックなどからなり、ユーザの操作により終話・電源キーがオン状態にされると、図示せぬバッテリパックから各部に対して電力を供給することにより携帯電話機１を動作可能な状態に起動する。
【００３０】
主制御部３１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３１】
なお、主制御部３１には、現在の日付と時刻を正確に計測するタイマが内蔵されている。
【００３２】
携帯電話機１は、主制御部３１の制御に基づいて、音声通話モード時にマイクロフォン１５で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００３３】
また、携帯電話機１は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００３４】
さらに、携帯電話機１は、データ通信モード時に電子メールを送信する場合、操作キー１４の操作によって入力された電子メールのテキストデータを操作入力制御部３３を介して主制御部３１に送出する。主制御部３１は、テキストデータを変復調回路部３９でスペクトラム拡散処理し、送受信回路部４３でディジタルアナログ変換処理及び周波数変換処理を施した後にアンテナ４４を介して基地局（図示せず）へ送信する。
【００３５】
これに対して携帯電話機１は、データ通信モード時に電子メールを受信する場合、アンテナ４４を介して基地局（図示せず）から受信した受信信号を変復調回路部３９でスペクトラム逆拡散処理して元のテキストデータを復元した後、ＬＣＤ制御部３６を介して液晶ディスプレイ１７に電子メールとして表示する。
【００３６】
その後携帯電話機１は、ユーザの操作に応じて受信した電子メールを記録再生部４５を介してメモリカード４６に記録することも可能である。
【００３７】
携帯電話機１は、画像信号を送信しない場合には、ＣＣＤカメラ２０で撮像した画像信号をカメラインタフェース部３５及びＬＣＤ制御部３６を介して液晶ディスプレイ１７に直接表示する。
【００３８】
携帯電話機１は、データ通信モード時に画像信号を送信する場合、ＣＣＤカメラ２０で撮像された画像信号をカメラインタフェース部３５を介して画像エンコーダ３４に供給する。
【００３９】
画像エンコーダ３４は、ＣＣＤカメラ２０から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時に携帯電話機１は、ＣＣＤカメラ２０で撮像中にマイクロフォン１５で集音した音声を音声コーデック４０を介してディジタルの音声信号として多重分離部３８に送出する。
【００４０】
多重分離部３８は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。
【００４１】
これに対して、携帯電話機１では、データ通信モード時に、Ｗｅｂページのデータを受信することができる。
【００４２】
すなわち、携帯電話機１において、データ通信モードに、例えばＷｅｂページを要求するデータを送信すると、その要求に応じて、Ｗｅｂページのデータが基地局（図示せず）を介して送信される。このＷｅｂページのデータは、アンテナ４４を介して送受信回路部４３および変復調回路部３９で受信される。送受信回路部４３および変復調回路部３９は、受信したＷｅｂページのデータを主制御部３１に送出する。
【００４３】
主制御部３１は、Ｗｅｂページのデータを解釈し、その解釈に基づく画面（画像）を作成する。作成された画面は、主制御部３１からＬＣＤ制御部３６を介して液晶ディスプレイ１７に供給されて表示される。すなわち、主制御部３１のＲＯＭまたは記憶部４７には、少なくともＷｅｂブラウザのアプリケーションプログラムがインストールされており、主制御部３１のＣＰＵは、ＲＡＭ上でＷｅｂブラウザのアプリケーションプログラムを実行することで、Ｗｅｂブラウザとして機能し、Ｗｅｂページのデータの解釈などを行う。
【００４４】
また、携帯電話機１は、データ通信モード時に例えばＷｅｂページなどにリンクされた動画像ファイルのデータを受信する場合、アンテナ４４を介して基地局（図示せず）から受信した受信信号を変復調回路部３９でスペクトラム逆拡散処理し、その結果得られる多重化信号を多重分離部３８に送出する。
【００４５】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。
【００４６】
このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。この場合も電子メールの場合と同様に携帯電話機１は、受信したＷｅｂページなどにリンクされたデータをユーザの操作により記録再生部４５を介してメモリカード４６に記録することが可能である。
【００４７】
記憶部４７は、例えば、電気的に書換えや消去が可能な不揮発性メモリであるフラッシュメモリ素子やＨＤＤ（Hard Disc Drive）などからなり、主制御部３１のＣＰＵにより実行される種々のアプリケーションプログラムや種々のデータ群を格納している。また、記憶部４７は、必要に応じて、ユーザの操作に応じて受信した電子メールや、受信したＷｅｂページなどにリンクされた動画像ファイルに含まれる動画像データなどを記憶する。
【００４８】
音楽制御部４８は、記憶部４７に記憶されているオーディオデータの再生動作および一時停止動作や、巻戻し機能、早送り機能、音量ダウン動作、音量アップ動作などの実行を制御する。
【００４９】
開閉検出部４９は、例えば磁気センサ１９ａ乃至１９ｄなどからなり、携帯電話機１が閉じられた状態から開かれた状態、あるいは、閉じられた状態から開かれた状態に変化したか否かを検出する。
【００５０】
充電検出部５０は、図示せぬクレードルやＡＣアダプタなどを介して携帯電話機１への充電を検出する。
【００５１】
図４は、図３の音声コーデック４０の内部の概略的な構成を表している。
【００５２】
図４に示されるように、音声コーデック４０は、メインバス４１を介して供給されるオーディオデータをデコードするデコーダＩＣ６１、およびデコードされたオーディオデータを処理するオーディオＩＣ６２により構成される。
【００５３】
デコーダＩＣ６１は、例えばバッファ６３、ＨＥ（High Efficiency）−ＡＡＣ（Advanced Audio Codec）デコーダ６４、およびＡＡＣ−ＬＣ（Low Complexity）６５により構成される。バッファ６３は、例えばＦＩＦＯ（First In First Out）形式で構成されており、メインバス４１を介して供給される所定の符号方式で符号化されているオーディオデータを逐次バッファリングする（一時的に記憶する）。
【００５４】
ＨＥ−ＡＡＣデコーダ６４は、バッファ６３にバッファリングされているオーディオデータを適宜読み出すとともに、読み出されたオーディオデータをＨＥ−ＡＡＣ方式でデコードし、デコードされたオーディオデータをサラウンド／イコライザ６６に出力する。
【００５５】
ＡＡＣ−ＬＣデコーダ６５は、バッファ６３にバッファリングされているオーディオデータを適宜読み出すとともに、読み出されたオーディオデータをＡＡＣ−ＬＣ方式でデコードし、デコードされたオーディオデータをサラウンド／イコライザ６６に出力する。
【００５６】
サラウンド／イコライザ６６は、ＨＥ−ＡＡＣデコーダ６４またはＡＡＣ−ＬＣデコーダ６５から入力されたデコード後のオーディオデータに対してサラウンド処理またはイコライズ処理を行う。
【００５７】
このとき、サラウンド処理またはイコライズ処理後のオーディオデータは、サラウンド／イコライザ６６から出力された後、例えばＤ／Ａ変換器（図示せず）などによりディジタル信号からアナログ信号に変換されて、ＨＰ（Head Phone）−アンプ６７またはＳＰＫ（Speaker）−アンプ６８に出力される。
【００５８】
ＨＰ−アンプ６７は、図示せぬヘッドフォン用のアンプであり、サラウンド処理またはイコライズ処理後のオーディオデータのアナログ信号を増幅する。増幅されたオーディオデータのアナログ信号は、図示せぬヘッドフォンに内蔵されたスピーカ１８−１と１８−２から音声として出力される。
【００５９】
ＳＰＫ−アンプ６８は、スピーカ１８−３とスピーカ１８−４用のアンプであり、サラウンド処理またはイコライズ処理後のオーディオデータのアナログ信号を増幅する。増幅されたオーディオデータのアナログ信号は、スピーカ１８−３と１８−４から音声として出力される。
【００６０】
次に、図５のフローチャートを参照して、図３の携帯電話機１における再生モード設定処理について説明する。この再生モード設定処理は、ユーザにより操作キー１４が操作されることにより、再生モード設定処理を開始するとの指示が受け付けられることで、開始される。
【００６１】
ステップＳ１において、主制御部３１は、ユーザにより操作キー１４が操作されることにより、再生モード設定処理を開始するとの指示が受け付けられたか否かを判定し、再生モード設定処理を開始するとの指示が受け付けられたと判定するまで待機する。
【００６２】
ステップＳ１において再生モード設定処理を開始するとの指示が受け付けられたと判定された場合、主制御部３１はステップＳ２で、ＬＣＤ制御部３６を制御し、音楽再生時における再生モードを設定するための再生モード設定画面を液晶ディスプレイ１７に表示させる。液晶ディスプレイ１７は、ＬＣＤ制御部３６の制御に従い、音楽再生時における再生モードを設定するための再生モード設定画面を表示する。
【００６３】
ステップＳ３において、主制御部３１は、操作入力制御部３３を介して、再生モード設定画面上において再生モードの選択を受け付ける。すなわち、再生モードとして通常再生モードと省電力再生モード（音楽再生時に省電力化を図る再生モード）の２つが存在する場合に、再生モード設定画面上において、これら２つの再生モードのうちからいずれか１つの再生モードの選択が受け付けられる。
【００６４】
ステップＳ４において、主制御部３１は、操作入力制御部３３を介して、再生モードとして省電力再生モードの選択が受け付けられたか否かを判定する。
【００６５】
ステップＳ４において再生モードとして省電力再生モードの選択が受け付けられていないと判定された場合（すなわち、再生モードとして通常再生モードの選択が受け付けられた場合）、主制御部３１はステップＳ５で、再生モード設定画面上で選択が受け付けられた通常再生モードに基づいて、音楽再生時における再生モードを通常再生モードに設定し、設定された再生モードに関する再生モード設定データを記憶部４７に供給する。これにより、音楽再生時における再生モードは、通常再生モードに設定される。
【００６６】
ステップＳ６において、記憶部４７は、主制御部３１の制御に従い、設定された再生モードに関する再生モード設定データを記憶する。その後、再生モード設定処理は終了する。この再生モード設定データには、再生モードとして通常再生モードに設定されていることを示すデータが含まれている。
【００６７】
一方、ステップＳ４において再生モードとして省電力再生モードの選択が受け付けられたと判定された場合、主制御部３１はステップＳ７で、再生モード設定画面上で選択が受け付けられた省電力再生モードに基づいて、音楽再生時における再生モードを省電力再生モードに設定し、設定された再生モードに関する再生モード設定データを記憶部４７に供給する。
【００６８】
これにより、音楽再生時における再生モードは、省電力再生モードに設定される。
【００６９】
ステップＳ８において、記憶部４７は、主制御部３１の制御に従い、設定された再生モードに関する再生モード設定データを記憶する。この再生モード設定データには、再生モードとして省電力再生モードに設定されていることを示すデータが含まれている。
【００７０】
次に、ステップＳ９において、主制御部３１は、操作入力制御部３３を介して、再生モード設定画面上において、省電力再生モードを開始するための条件（トリガ）である省電力再生モード開始条件の選択を受け付ける。
【００７１】
例えば省電力再生モード開始条件（トリガ）として、図示せぬバッテリパックが低電圧となったとき、音楽再生時の最初のとき、音楽再生開始から予め設定された所定の時間（例えば２０分間など）経過したとき、あるいは、携帯電話機１の状態が閉じられた状態から開かれた状態になったときなどの選択が、再生モード設定画面上において受け付けられる。
【００７２】
勿論、省電力再生モード開始条件（トリガ）として複数の選択を受け付けるようにしてもよい。
【００７３】
ステップＳ１０において、主制御部３１は、再生モード設定画面上において選択が受け付けられた省電力再生モード開始条件に基づいて、省電力再生モードを開始するための条件（トリガ）である省電力再生モード開始条件を設定し、設定された省電力再生モード開始条件に関する省電力再生モード開始条件設定データを記憶部４７に供給する。
【００７４】
ステップＳ１１において、記憶部４７は、主制御部３１の制御に従い、設定された省電力再生モード開始条件に関する省電力再生モード開始条件設定データを記憶する。この省電力再生モード開始条件設定データには、省電力再生モード開始条件として、例えば図示せぬバッテリパックが低電圧となったとき、音楽再生時の最初のとき、音楽再生開始から予め設定された所定の時間（例えば２０分間など）経過したとき、あるいは、携帯電話機１の状態が閉じられた状態から開かれた状態になったときなどが設定されていることを示すデータが含まれている。
【００７５】
ステップＳ１２において、主制御部３１は、操作入力制御部３３を介して、再生モード設定画面上において、省電力再生モード時における動作の選択を受け付ける。
【００７６】
すなわち、省電力再生モード時における動作として、例えば音楽再生時にＨＥ−ＡＡＣデコーダ６４によりオーディオデータをデコードしている場合に、省電力化を図るためにＡＡＣ−ＬＣデコーダ６５によりオーディオデータをデコードするように切り替える切り替え動作、音楽再生時にサラウンド／イコライザ６６によりサラウンド処理をＯＮにして行っている場合に、省電力化を図るためにサラウンド処理をＯＦＦにして行わないようにする動作、音楽再生時にサラウンド／イコライザ６６によりイコライズ処理を行っている場合に、省電力化を図るためにイコライズ処理をＯＦＦにして行わないようにする動作などの選択が受け付けられる。なお、省電力再生モード時における動作としては、以上のような動作以外にも、省電力の要因となる種々の機能のＯＮ／ＯＦＦの切り替え動作の選択が受け付けられるようにしてもよい。また、省電力再生モード時における動作としてこれらのうちの複数の選択を受け付けるようにしてもよい。さらに、オーディオデータのデコード方式は、ＨＥ−ＡＡＣ、ＡＡＣ−ＬＣ以外の他の方式でもよい。
【００７７】
ステップＳ１３において、主制御部３１は、再生モード設定画面上において選択が受け付けられた省電力再生モード時における動作に基づいて、省電力再生モード時における動作を設定し、設定された省電力再生モード時における動作に関する省電力再生モード時動作設定データを記憶部４７に供給する。
【００７８】
これにより、省電力再生モード時における動作が設定される。
【００７９】
ステップＳ１４において、記憶部４７は、主制御部３１の制御に従い、設定された省電力再生モード時における動作に関する省電力再生モード時動作設定データを記憶する。この省電力再生モード時動作設定データには、省電力再生モード時における動作として、例えば音楽再生時にＨＥ−ＡＡＣデコーダ６４によりオーディオデータをデコードしている場合に、省電力化を図るためにＡＡＣ−ＬＣデコーダ６５によりオーディオデータをデコードするように切り替える切り替え動作などが設定されていることを示すデータが含まれている。
【００８０】
その後、再生モード設定処理は終了する。
【００８１】
勿論、この再生モード設定処理は、ユーザの好みに応じて適宜、再度行うようにして変更するようにしてもよい。
【００８２】
次に、図６のフローチャートを参照して、図３の携帯電話機１における音楽再生処理について説明する。この音楽再生処理は、ユーザにより操作キー１４が操作されることにより、音楽再生処理を開始するとの指示が受け付けられることで、開始される。
【００８３】
ステップＳ２１において、主制御部３１は、ユーザにより操作キー１４が操作されることにより、音楽再生処理を開始するとの指示が受け付けられたか否かを判定し、音楽再生処理を開始するとの指示が受け付けられたと判定するまで待機する。
【００８４】
ステップＳ２１において操作キー１４が操作されることにより、音楽再生処理を開始するとの指示が受け付けられたと判定された場合、主制御部３１はステップＳ２２で、記憶部４７に記憶されている再生モード設定データを読み出す。この再生モード設定データには、音楽再生時における再生モードとして通常再生モードまたは省電力再生モードに設定されていることを示すデータが含まれている。
【００８５】
ステップＳ２３において、主制御部３１は、読み出された再生モード設定データに基づいて、音楽再生時における再生モードが省電力再生モードに設定されているか否かを判定する。ステップＳ２３において音楽再生時における再生モードが省電力再生モードに設定されていると判定された場合、主制御部３１はステップＳ２４で、音楽制御部４８を制御し、通常再生モードでオーディオデータを再生させる。音楽制御部４８は、主制御部３１の制御に従い、通常再生モードでのオーディオデータの再生動作を制御し、通常再生モードでオーディオデータを再生する。
【００８６】
具体的には、音楽制御部４８は、記憶部４７に記憶されているオーディオデータを逐次読み出し、読み出されたオーディオデータを音声コーデック４０に出力する。音声コーデック４０は、音楽制御部４８の制御に従い、オーディオデータをバッファ６３により逐次バッファリングし、バッファリングされたオーディオデータを例えばＨＥ−ＡＡＣデコーダ６４によりＨＥ−ＡＡＣ方式でデコードし、ＨＰ−アンプ６７またはＳＰＫ−アンプ６８によりオーディオデータのアナログ信号を増幅し、増幅されたオーディオデータの音声信号をスピーカ１８−１乃至１８−２または１８−３乃至１８−４から音声として出力する。このとき、サラウンド処理やイコライズ処理がＯＮされている場合には、デコードされたオーディオデータに対してサラウンド処理やイコライズ処理が行われる。
【００８７】
ステップＳ２５において、主制御部３１は、記憶部４７に記憶されている省電力再生モード開始条件設定データを読み出す。ステップＳ２６において、主制御部３１は、読み出された省電力再生モード開始条件設定データに基づいて、設定された省電力再生モード開始条件を満たすか否かを判定する。
【００８８】
すなわち、例えば省電力再生モード開始条件（トリガ）として、図示せぬバッテリパックが低電圧となったとき、音楽再生時の最初のとき、音楽再生開始から予め設定された所定の時間（例えば２０分間など）経過したとき、携帯電話機１の状態が閉じられた状態から開かれた状態になったときなどが設定されている場合、設定されているこれらの省電力再生モード開始条件を満たすか否かが判定される。
【００８９】
より具体的には、例えば省電力再生モード開始条件（トリガ）として、図示せぬバッテリパックが低電圧となったときが設定されている場合、主制御部３１により電源回路部３２を介して図示せぬバッテリパックが低電圧となったと判定されると、設定されている省電力再生モード開始条件を満たすと判定される。
【００９０】
また、例えば省電力再生モード開始条件（トリガ）として、音楽再生開始から予め設定された所定の時間（例えば２０分間など）経過したときが設定されている場合、主制御部３１により内蔵されたタイマを用いて音楽再生開始から予め設定された所定の時間（例えば２０分間など）経過したと判定されると、設定されているこれらの省電力再生モード開始条件を満たすと判定される。
【００９１】
さらに、例えば省電力再生モード開始条件（トリガ）として、携帯電話機１の状態が閉じられた状態から開かれた状態になったときが設定されている場合、主制御部３１により開閉検出部４９を介して携帯電話機１の状態が閉じられた状態から開かれた状態になったと判定されると、設定されているこれらの省電力再生モード開始条件を満たすと判定される。
【００９２】
ステップＳ２６において設定された省電力再生モード開始条件を満たさないと判定された場合、処理はステップＳ２４に戻り、ステップＳ２４以降の処理が繰り返される。すなわち、通常再生モードでオーディオデータが再生される。
【００９３】
一方、ステップＳ２６において設定された省電力再生モード開始条件を満たすと判定された場合、主制御部３１はステップＳ２７で、ＬＣＤ制御部３６を制御し、予め設定された省電力再生モード開始条件を満たした旨を液晶ディスプレイ１７またはサブディスプレイ２１にポップアップ表示させる。液晶ディスプレイ１７またはサブディスプレイ２１は、ＬＣＤ制御部３６の制御に従い、予め設定された省電力再生モード開始条件を満たした旨をポップアップ表示する。
【００９４】
例えば省電力再生モード開始条件（トリガ）として図示せぬバッテリパックが低電圧となったときが設定されている場合、主制御部３１により電源回路部３２を介して図示せぬバッテリパックが低電圧となったと判定されると、液晶ディスプレイ１７またはサブディスプレイ２１には例えば「電池残量が少なくなりました。省電力再生モードに切り替えます。」というメッセージがポップアップ表示される。
【００９５】
また、例えば省電力再生モード開始条件（トリガ）として、音楽再生開始から予め設定された所定の時間（例えば２０分間など）経過したときが設定されている場合、主制御部３１により内蔵されたタイマを用いて音楽再生開始から予め設定された所定の時間（例えば２０分間など）経過したと判定されると、液晶ディスプレイ１７またはサブディスプレイ２１には例えば「音楽再生開始時から２０分間が経過しました。省電力再生モードに切り替えます。」というメッセージがポップアップ表示される。
【００９６】
これにより、ユーザは、予め設定された省電力再生モード開始条件を満たし、以降、省電力再生モードに切り替えられることを知ることができる。
【００９７】
なお、省電力再生モード開始条件として音楽再生の最初のときが設定されている場合には、ステップＳ２４の通常再生モードによるオーディオデータの再生は行われず、音楽再生の最初から省電力再生モード開始条件になったと判定され、液晶ディスプレイ１７またはサブディスプレイ２１には例えば「省電力再生モードで音楽再生します。」というメッセージがポップアップ表示される。
【００９８】
なお、本発明の実施形態においては、予め設定された省電力再生モード開始条件を満たした旨をポップアップ表示することにより、ユーザにその旨を報知するようにしたが、このような場合に限られず、図示せぬＬＥＤ（Light Emitting Diode）などによりその旨をユーザに報知するようにしてもよい。
【００９９】
ステップＳ２８において、主制御部３１は、記憶部４７に記憶されている省電力再生モード時動作設定データを読み出す。ステップＳ２９において、主制御部３１は、読み出された省電力再生モード時動作設定データに基づいて、予め設定されている通常再生モード時における動作から、省電力再生モード時における動作に切り替える。
【０１００】
例えば省電力再生モード時における動作として、音楽再生時にＨＥ−ＡＡＣデコーダ６４によりオーディオデータをデコードしている場合に、省電力化を図るためにＡＡＣ−ＬＣデコーダ６５によりオーディオデータをデコードするように切り替える切り替え動作が設定されているとき、ＡＡＣ−ＬＣデコーダ６５によりオーディオデータをデコードするように切り替えられる。
【０１０１】
また、例えば省電力再生モード時における動作として、音楽再生時にサラウンド／イコライザ６６によりサラウンド処理をＯＮにして行っている場合に、省電力化を図るためにサラウンド処理をＯＦＦにして行わないようにする動作が設定されているとき、サラウンド／イコライザ６６によりサラウンド処理をＯＦＦにして行わないようになされる。
【０１０２】
ステップＳ３０において、主制御部３１は、音楽制御部４８を制御し、切り替えられた省電力再生モード時における動作に従い、省電力再生モードでオーディオデータを再生させる。音楽制御部４８は、主制御部３１の制御に従い、省電力再生モードでのオーディオデータの再生動作を制御し、省電力再生モードでオーディオデータを再生する。
【０１０３】
具体的には、音楽制御部４８は、記憶部４７に記憶されているオーディオデータを逐次読み出し、読み出されたオーディオデータを音声コーデック４０に出力する。ステップＳ２９における動作切り替え処理でＡＡＣ−ＬＣデコーダ６５によりオーディオデータをデコードするように切り替えられた場合、音声コーデック４０は、音楽制御部４８の制御に従い、オーディオデータをバッファ６３により逐次バッファリングし、バッファリングされたオーディオデータを例えばＡＡＣ−ＬＣデコーダ６５によりＡＡＣ−ＬＣ方式でデコードし、ＨＰ−アンプ６７またはＳＰＫ−アンプ６８によりオーディオデータのアナログ信号を増幅し、増幅されたオーディオデータの音声信号をスピーカ１８−１乃至１８−２または１８−３乃至１８−４から音声として出力する。
【０１０４】
これにより、例えば、ユーザが携帯電話機１を閉じて音楽再生を行わせていた場合に、他の携帯電話機１からメールを受信したため、携帯電話機１を開かれた状態にしてメールを確認しようとするときに、省電力再生モード時における動作に切り替えて、省電力再生モードでオーディオデータを再生することができる。
【０１０５】
ステップＳ３１において、主制御部３１は、充電検出部５０により図示せぬクレードルやＡＣアダプタなどを介して携帯電話機１への充電が検出されたか否かを判定する。ステップＳ３１において充電検出部５０により図示せぬクレードルやＡＣアダプタなどを介して携帯電話機１への充電が検出されていない判定された場合、処理はステップＳ３０に戻り、ステップＳ３０において引き続き省電力再生モードでオーディオデータが再生される。
【０１０６】
ステップＳ３１において充電検出部５０により図示せぬクレードルやＡＣアダプタなどを介して携帯電話機１への充電が検出されたと判定された場合、主制御部３１はステップＳ３２で、ＬＣＤ制御部３６を制御し、充電が検出されたために通常再生モードに切り替える旨を液晶ディスプレイ１７にポップアップ表示させる。液晶ディスプレイ１７は、ＬＣＤ制御部３６の制御に従い、充電が検出されたために通常再生モードに切り替える旨を表示する。
【０１０７】
例えば液晶ディスプレイ１７には「充電が開始されました。通常再生モードに切り替えます。」というメッセージがポップアップ表示される。これにより、ユーザは、充電が検出されたために通常再生モードに切り替えることを知ることができる。
【０１０８】
なお、本発明の実施形態においては、充電が検出されたために通常再生モードに切り替える旨をポップアップ表示することにより、ユーザにその旨を報知するようにしたが、このような場合に限られず、図示せぬＬＥＤ（Light Emitting Diode）などによりその旨をユーザに報知するようにしてもよい。
【０１０９】
ステップＳ３３において、主制御部３１は、省電力再生モード時における動作から、予め設定されている通常再生モード時における動作に切り替える。
【０１１０】
例えば省電力再生モード時における動作として、ＡＡＣ−ＬＣデコーダ６５によりオーディオデータをデコードするように切り替えられている場合、通常再生モード時における動作として、ＨＥ−ＡＡＣデコーダ６４によりオーディオデータをデコードするように切り替えられる。
【０１１１】
また、例えば省電力再生モード時における動作として、サラウンド／イコライザ６６によりサラウンド処理をＯＦＦにして行わないように切り替えられた場合、通常再生モード時における動作として、サラウンド／イコライザ６６によりサラウンド処理をＯＮにして行うように切り替えられる。
【０１１２】
ステップＳ３４において、主制御部３１は、音楽制御部４８を制御し、切り替えられた通常再生モード時における動作に従い、通常再生モードでオーディオデータを再生させる。音楽制御部４８は、主制御部３１の制御に従い、通常再生モードでのオーディオデータの再生動作を制御し、通常再生モードでオーディオデータを再生する。
【０１１３】
具体的には、音楽制御部４８は、記憶部４７に記憶されているオーディオデータを逐次読み出し、読み出されたオーディオデータを音声コーデック４０に出力する。音声コーデック４０は、音楽制御部４８の制御に従い、オーディオデータをバッファ６３により逐次バッファリングし、バッファリングされたオーディオデータを例えばＨＥ−ＡＡＣデコーダ６４によりＨＥ−ＡＡＣ方式でデコードし、ＨＰ−アンプ６７またはＳＰＫ−アンプ６８によりオーディオデータのアナログ信号を増幅し、増幅されたオーディオデータの音声信号をスピーカ１８−１乃至１８−２または１８−３乃至１８−４から音声として出力する。このとき、サラウンド処理やイコライズ処理をＯＮにしている場合には、デコードされたオーディオデータに対してサラウンド処理やイコライズ処理が行われる。
【０１１４】
ステップＳ３５において、主制御部３１は、ユーザにより操作キー１４が操作されることにより、音楽再生処理を終了するとの指示が受け付けられたか否かを判定し、音楽再生処理を終了するとの指示が受け付けられたと判定するまで待機する。
【０１１５】
ステップＳ３５において音楽再生処理を終了するとの指示が受け付けられたと判定された場合、音楽再生処理は終了する。
【０１１６】
一方、ステップＳ２３において省電力再生モードに設定されていないと判定された場合（すなわち、通常再生モードに設定されていると判定された場合）、主制御部３１はステップＳ３６で、音楽制御部４８を制御し、通常再生モードでオーディオデータを再生させる。音楽制御部４８は、主制御部３１の制御に従い、通常再生モードでのオーディオデータの再生動作を制御し、通常再生モードでオーディオデータを再生する。
【０１１７】
具体的には、音楽制御部４８は、記憶部４７に記憶されているオーディオデータを逐次読み出し、読み出されたオーディオデータを音声コーデック４０に出力する。音声コーデック４０は、音楽制御部４８の制御に従い、オーディオデータをバッファ６３により逐次バッファリングし、バッファリングされたオーディオデータを例えばＨＥ−ＡＡＣデコーダ６４によりＨＥ−ＡＡＣ方式でデコードし、ＨＰ−アンプ６７またはＳＰＫ−アンプ６８によりオーディオデータのアナログ信号を増幅し、増幅されたオーディオデータの音声信号をスピーカ１８−１乃至１８−２または１８−３乃至１８−４から音声として出力する。このとき、サラウンド処理やイコライズ処理をＯＮにしている場合には、デコードされたオーディオデータに対してサラウンド処理やイコライズ処理が行われる。
【０１１８】
その後、処理はステップＳ３５に進む。
【０１１９】
本発明の実施形態においては、音楽再生を開始するとの指示が受け付けられると、記憶部４７に記憶されている再生モード設定データを読み出し、読み出された再生モード設定データに基づいて、省電力再生モードに設定されているか否かを判定し、省電力再生モードに設定されていると判定された場合、記憶部４７に記憶されている省電力再生モード開始条件設定データに基づいて、設定された省電力再生モード開始条件を満たすか否かを判定することができる。
【０１２０】
そして、設定された省電力再生モード開始条件を満たすと判定された場合、設定された省電力再生モード開始条件を満たす旨をポップアップ表示するとともに、記憶部４７に記憶されている省電力再生モード時動作設定データを読み出し、読み出された省電力再生モード時動作設定データに基づいて、通常再生モード時における動作から省電力再生モード時における動作に切り替えることができ、省電力再生モードでオーディオデータを再生することができる。
【０１２１】
また、充電検出部５０により図示せぬクレードルやアダプタなどにより携帯電話機１への充電が検出されたと判定された場合、携帯電話機１への充電が検出されたため通常再生モードに切り替える旨をポップアップ表示するとともに、省電力再生モード時における動作から通常再生モード時における動作に切り替えることができ、通常再生モードでオーディオデータを再生することができる。
【０１２２】
これにより、電池残量が少ないときであっても、音楽再生を行いながら省電力化を図ることができる。また、音楽再生時における省電力化の方法、すなわち、省電力再生モード時における動作に関して、ユーザの好みに応じてデコード方式を変えたり、サラウンド処理やイコライズ処理をＯＦＦにしたりして設定することができ、省電力化を図りつつ、省電力再生モード時における音楽再生の音質などをユーザの好みに応じて変更することができる。
【０１２３】
従って、音楽再生時における省電力化を好適に図ることができる。
【０１２４】
なお、本発明の実施形態においては、予め設定された省電力再生モード開始条件を満たすか否かを判定し、予め設定された省電力再生モード開始条件を満たすと判定された場合、音楽再生時における再生モードを省電力再生モード時における動作に切り替えるようにしたが、このような場合に限られず、ユーザにより操作キー１４や専用の図示せぬボタンが操作されることにより、音楽再生時における再生モードを省電力再生モード時における動作に切り替えて、省電力再生モードでオーディオデータを再生するようにしてもよい。
【０１２５】
ところで、図６のフローチャートを参照して説明した音楽再生処理においては、一旦、設定されている省電力再生モード開始条件を満たすと判定されると、音楽再生時における再生モード時における動作を、通常再生モード時における動作から省電力再生モード時における動作に切り替えて、省電力再生モードでオーディオデータを再生するようにしたが、その後、設定されている省電力再生モード開始条件を満たさなくなったと判定された場合、再度、音楽再生時における再生モード時における動作を、省電力再生モード時における動作から通常再生モード時における動作に切り替えて、通常再生モードでオーディオデータを再生するようにしてもよい。これにより、音楽再生時における省電力化をより好適に図ることができる。以下、この方法を用いた音楽再生処理について説明する。
【０１２６】
図７のフローチャートを参照して、図３の携帯電話機１における他の音楽再生処理について説明する。なお、図７のステップＳ４１乃至Ｓ５０、およびステップＳ５４乃至Ｓ５９の処理は、図６のステップＳ２１乃至Ｓ３６の処理と同様であり、その説明は繰り返しになるので省略する。
【０１２７】
ステップＳ５１において、主制御部３１は、読み出された省電力再生モード開始条件設定データに基づいて、設定された省電力再生モード開始条件を満たさなくなったか否かを判定する。
【０１２８】
すなわち、例えば省電力再生モード開始条件（トリガ）として、図示せぬバッテリパックが低電圧となったとき、音楽再生時の最初のとき、音楽再生開始から予め設定された所定の時間（例えば２０分間など）経過したとき、携帯電話機１の状態が閉じられた状態から開かれた状態になったときなどが設定されている場合、設定されているこれらの省電力再生モード開始条件を満たさなくなったか否かが判定される。
【０１２９】
なお、具体的な判定処理については、図６のステップＳ２６の処理と基本的には同様であり、その説明は繰り返しになるので省略する。
【０１３０】
ステップＳ５１において設定された省電力再生モード開始条件を満たさなくなっていないと判定された場合（すなわち、依然として設定された省電力再生モード開始条件を満たしていると判定された場合）、処理はステップＳ５４に進み、ステップＳ５４以降の処理が繰り返される。
【０１３１】
一方、ステップＳ５１において設定された省電力再生モード開始条件を満たさなくなったと判定された場合、主制御部３１はステップＳ５２で、ＬＣＤ制御部３６を制御し、省電力再生モード開始条件を満たさなくなったために通常再生モードに切り替える旨を液晶ディスプレイ１７にポップアップ表示させる。液晶ディスプレイ１７は、ＬＣＤ制御部３６の制御に従い、省電力再生モード開始条件を満たさなくなったために通常再生モードに切り替える旨を表示する。
【０１３２】
例えば液晶ディスプレイ１７には「通常再生モードに切り替えます。」というメッセージがポップアップ表示される。これにより、ユーザは、省電力再生モード開始条件を満たさなくなったために通常再生モードに切り替えることを知ることができる。
【０１３３】
ステップＳ５３において、主制御部３１は、省電力再生モード時における動作から、予め設定されている通常再生モード時における動作に切り替える。
【０１３４】
例えば省電力再生モード時における動作として、ＡＡＣ−ＬＣデコーダ６５によりオーディオデータをデコードするように切り替えられている場合、通常再生モード時における動作として、ＨＥ−ＡＡＣデコーダ６４によりオーディオデータをデコードするように切り替えられる。
【０１３５】
その後、処理はステップＳ４４に進み、ステップＳ４４において通常再生モードでオーディオデータの再生処理が行われる。
【０１３６】
これにより、音楽再生時における省電力化をより好適に図ることができる。
【０１３７】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理装置にも適用することができる。
【０１３８】
また、本発明の実施形態において説明した一連の処理は、ソフトウェアにより実行させることもできるが、ハードウェアにより実行させることもできる。
【０１３９】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１４０】
【図１】本発明に係る情報処理装置に適用可能な携帯電話機の外観の構成を示す外観図。
【図２】本発明に係る情報処理装置に適用可能な携帯電話機の他の外観の構成を示す外観図。
【図３】本発明に係る情報処理装置に適用可能な携帯電話機の内部の構成を示すブロック図。
【図４】図３の音声コーデックの概略的な内部の構成を示すブロック図。
【図５】図３の携帯電話機における再生モード設定処理を説明するフローチャート。
【図６】図３の携帯電話機における音楽再生処理を説明するフローチャート。
【図７】図３の携帯電話機における他の音楽再生処理を説明するフローチャート。
【符号の説明】
【０１４１】
１…携帯電話機、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０…ＣＣＤカメラ、２１…サブディスプレイ、２２…静電タッチパッド、３１…主制御部、３２…電源回路部、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部、４８…音楽制御部、４９…開閉検出部、５０…充電検出部、６１…デコーダＩＣ、６２…オーディオＩＣ、６３…バッファ、６４…ＨＥ−ＡＡＣデコーダ、６５…ＡＡＣ−ＬＣデコーダ、６６…サラウンド／イコライザ、６７…ＨＰ−アンプ、６８…ＳＰＫ−アンプ。
【図１】
2008199108.tif 000003
【図２】
2008199108.tif 000004
【図３】
2008199108.tif 000005
【図４】
2008199108.tif 000006
【図５】
2008199108.tif 000007
【図６】
2008199108.tif 000008
【図７】
2008199108.tif 000009